(57)【要約】【課題】室外機の設置対象地において、デッドスペースを減らすことができる室外機および室外機の据付方法を提供する。【解決手段】本体ケーシング２０と、据付脚２１とを備える。本体ケーシング２０は、平面視において本体ケーシング２０の背面側に突出する背面突出部２１ａおよび本体ケーシング２０の正面側に突出する正面突出部を有する。この室外機２は、平面視において背面突出部２１ａおよび正面突出部が本体ケーシング２０の外方に突出する第１状態から、本体ケーシング２０と据付脚２１とがスライドし背面突出部２１ａが本体ケーシング２０の下方に入り込む第２状態に変化する。【選択図】図１
2010203684.tif 000002
【特許請求の範囲】
【請求項１】
本体ケーシング（２０）と、
平面視において前記本体ケーシング（２０）の背面側に突出する背面突出部（２１ａ）および前記本体ケーシング（２０）の正面側に突出する正面突出部（２１ｂ）を有する据付脚（２１）と、
を備え、
平面視において前記背面突出部（２１ａ）および前記正面突出部（２１ｂ）が前記本体ケーシング（２０）の外方に突出する第１状態から、前記本体ケーシング（２０）と前記据付脚（２１）とがスライドし前記背面突出部（２１ａ）が平面視において前記本体ケーシング（２０）の下方に入り込む第２状態に変化する、
冷凍装置の室外機（２）。
【請求項２】
前記据付脚（２１）には、前記据付脚（２１）の一部を折り曲げるための切り込みが形成される、
請求項１に記載の冷凍装置の室外機（２）。
【請求項３】
請求項１に記載の冷凍装置の室外機（２）の前記背面突出部（２１ａ）と、前記正面突出部（２１ｂ）とを、前記室外機（２）を載置するための室外機載置部材（３）に固定する第１ステップと、
前記背面突出部（２１ａ）が前記本体ケーシング（２０）の下方に入り込むように、前記本体ケーシング（２０）を前記据付脚（２１）に対してスライドさせる第２ステップと、
を備える冷凍装置の室外機（２）の据付方法。
【請求項４】
前記第２ステップに続く第３ステップであって、前記室外機（２）とは別の拘束部材（５）を、その一部が、前記本体ケーシング（２０）と、前記室外機載置部材（３）および／または前記据付脚（２１）とに接触するように設置することにより、前記本体ケーシング（２０）の平面視における前後方向のスライドを拘束する第３ステップをさらに備える、
請求項３に記載の冷凍装置の室外機（２）の据付方法。
【請求項５】
請求項２に記載の冷凍装置の室外機（２）の前記背面突出部（２１ａ）と、前記正面突出部（２１ｂ）とを、前記室外機（２）を載置するための室外機載置部材（３）に固定する第１ステップと、
前記背面突出部（２１ａ）が前記本体ケーシング（２０）の下方に入り込むように、前記本体ケーシング（２０）を前記据付脚（２１）に対してスライドさせる第２ステップと、
前記据付脚（２１）の一部を折り曲げて前記本体ケーシング（２０）に接触させることにより、前記本体ケーシングの平面視における前後方向のスライドを拘束する第３ステップと、
を備える冷凍装置の室外機（２）の据付方法。
【発明の詳細な説明】
【技術分野】
【０００１】
本発明は、冷凍装置の室外機および冷凍装置の室外機の据付方法に関する。
【背景技術】
【０００２】
従来、本体ケーシングを備え、この本体ケーシングの内部が鉛直方向に延びる仕切板によって送風機室と機械室とに分割される冷凍装置の室外機が提案されている。そして、このような室外機では、本体ケーシングとは別の据付脚が設けられているものがある（例えば、特許文献１（実開昭６３−１７２８２７号公報））。
【発明の概要】
【発明が解決しようとする課題】
【０００３】
特許文献１に記載のような室外機を室外、特に路地等の極小地に設置する際、室外機の設置スペースを狭くし、これによりデッドスペースを減らすことが望ましいと考えられる。
【０００４】
そこで、本発明の課題は、室外機の設置対象地において、デッドスペースを減らすことができる室外機および室外機の据付方法を提供することにある。
【課題を解決するための手段】
【０００５】
第１発明に係る冷凍装置の室外機は、本体ケーシングと、据付脚とを備える。本体ケーシングは、平面視において本体ケーシングの背面側に突出する背面突出部および本体ケーシングの正面側に突出する正面突出部を有する。この室外機は、平面視において背面突出部および正面突出部が本体ケーシングの外方に突出する第１状態から、本体ケーシングと据付脚とがスライドし背面突出部が本体ケーシングの下方に入り込む第２状態に変化する。
【０００６】
第１発明に係る冷凍装置の室外機では、本体ケーシングと据付脚とがスライドすることにより背面突出部が本体ケーシングの下方に入り込む第２状態を採ることができるので、本体ケーシングの背面を壁面に接触させることが可能になる。これにより、デッドスペースを減らすことができ、美観も向上する。
【０００７】
第２発明に係る冷凍装置の室外機は、第１発明に係る冷凍装置の室外機であって、据付脚には、据付脚の一部を折り曲げるための切り込みが形成される。
【０００８】
第２発明に係る冷凍装置の室外機では、切り込みによって据付脚の一部が折り曲げられることにより、平面視における本体ケーシングの前後方向のスライドを拘束することが可能になる。
【０００９】
第３発明に係る冷凍装置の室外機の据付方法は、第１ステップと、第２ステップとを備える。第１ステップでは、第１発明に係る冷凍装置の室外機の背面突出部と、正面突出部とを、室外機を載置するための室外機載置部材に固定する。第２ステップでは、背面突出部が本体ケーシングの下方に入り込むように、本体ケーシングを据付脚に対してスライドさせる。
【００１０】
なお、第１ステップでは、据付脚の後側の端面と室外機載置部材の後側の端面とが同位置にくるように、室外機を室外機載置部材に固定することが望ましい。
【００１１】
第３発明に係る冷凍装置の室外機の据付方法では、背面突出部が本体ケーシングの下方に入り込むように、本体ケーシングを据付脚に対してスライドさせるので、本体ケーシングを壁側に寄せることが可能になる。
【００１２】
第４発明に係る冷凍装置の室外機の据付方法は、第３発明に係る冷凍装置の室外機の据付方法であって、第２ステップに続く第３ステップをさらに備える。第３ステップでは、室外機とは別の拘束部材を、その一部が、本体ケーシングと、室外機載置部材および／または据付脚とに接触するように設置することにより、本体ケーシングの平面視における前後方向のスライドを拘束する。
【００１３】
第４発明に係る冷凍装置の室外機の据付方法では、室外機とは別の拘束部材を、その一部が、本体ケーシングと、室外機載置部材および／または据付脚とに接触するように設置することにより、本体ケーシングの平面視における前後方向のスライドを拘束する。これにより、本体ケーシングの設置後の安定性が確保できる。
【００１４】
第５発明に係る冷凍装置の室外機の据付方法は、第１ステップと、第２ステップと、第３ステップとを備える。第１ステップは、第２発明に係る冷凍装置の室外機の背面突出部と、正面突出部とを、室外機を載置するための室外機載置部材に固定する。第２ステップは、背面突出部が本体ケーシングの下方に入り込むように、本体ケーシングを据付脚に対してスライドさせる。第３ステップは、据付脚の一部を折り曲げて本体ケーシングに接触させることにより、本体ケーシングの平面視における前後方向のスライドを拘束する。
【００１５】
第５発明に係る冷凍装置の室外機の据付方法では、本体ケーシングの背面が壁面に接触するように、本体ケーシングを据付脚に対してスライドさせ、本体ケーシングの背面が壁面に接触した状態で、本体ケーシングを平面視における前後方向にスライドしないように拘束する。これにより、本体ケーシングの背面が壁面に接触した状態を保つことができるので、デッドスペースを減らした状態を維持することができる。また、本体ケーシングの安定性も確保できる。
【発明の効果】
【００１６】
第１発明に係る冷凍装置の室外機では、本体ケーシングと据付脚とがスライドすることにより背面突出部が本体ケーシングの下方に入り込む第２状態を採ることができるので、本体ケーシングの背面を壁面に接触させることが可能になる。これにより、デッドスペースを減らすことができ、美観も向上する。
【００１７】
第２発明に係る冷凍装置の室外機では、切り込みによって据付脚の一部が折り曲げられることにより、平面視における本体ケーシングの前後方向のスライドを拘束することが可能となる。
【００１８】
第３発明に係る冷凍装置の室外機の据付方法では、背面突出部が本体ケーシングの下方に入り込むように、本体ケーシングを据付脚に対してスライドさせることができるので、本体ケーシングを壁側に寄せることが可能になる。
【００１９】
第４発明に係る冷凍装置の室外機の据付方法では、室外機とは別の拘束部材を、その一部が、本体ケーシングと、室外機載置部材および／または据付脚とに接触するように設置することにより、本体ケーシングの平面視における前後方向のスライドを拘束する。これにより、本体ケーシングの設置後の安定性が確保できる。
【００２０】
第５発明に係る冷凍装置の室外機の据付方法では、本体ケーシングの背面が壁面に接触するように、本体ケーシングを据付脚に対してスライドさせ、本体ケーシングの背面が壁面に接触した状態で、本体ケーシングを平面視における前後方向にスライドしないように拘束する。これにより、本体ケーシングの背面が壁面に接触した状態を保つことができるので、デッドスペースを減らした状態を維持することができる。また、本体ケーシングの安定性も確保できる。
【図面の簡単な説明】
【００２１】
【図１】空調機の室外機の斜視図。
【図２】背面突出部と正面突出部とが平面視において本体ケーシングの前後方向に突出している状態の本体ケーシングの下面図。
【図３】背面突出部が本体ケーシングの下方に入り込んでいる状態の本体ケーシングの下面図。
【図４】据付脚の右側面図。
【図５】据付脚の断面図。
【図６】第１ステップにおける空調機の室外機の斜視図。
【図７】第１ステップにおける空調機の室外機の平面図。
【図８】第２ステップにおける空調機の室外機の斜視図。
【図９】第２ステップにおける空調機の室外機の平面図。
【図１０】第３ステップにおいて切り起こし部が形成された据付脚の正面図。
【図１１】変形例（Ａ）に係る空調機の室外機を示す図。
【図１２】従来の据付脚を示す図。
【発明を実施するための形態】
【００２２】
以下、図面を参照しながら、本発明の実施形態について説明する。
【００２３】
なお、以下の実施形態は、本発明の具体例であって、本発明の技術的範囲を限定するものではない。
【００２４】
＜空調機の室外機２の概略構成＞
まず、空調機の室外機２の構成について説明する。なお、以下の説明において、「上」、「下」、「左」、「右」、「前」、「後」、「正面」、「背面」は、特にことわりのない限り、図１に示す方向を意味する。
【００２５】
室外機２は、空気調和を行う対象空間である室内の外部、特に路地等の極小地に設置されるものである。具体的には、この室外機２は、２つのブロック３（図６を参照）に載置されて、室外に設置される。ブロック３は、コンクリートから構成され、室外機２を固定するために室外に設けられる部材である。室外機２は、図１に示すように、主として、本体ケーシング２０と、本体ケーシング２０とは別部材である２つの据付脚２１と、斜流ファン（図示せず）と、冷媒回路構成部品（図示せず）と、室外機２の運転制御を行う電装品ユニット（図示せず）とを備えている。冷媒回路構成部品は、圧縮機や熱交換器等の機器、弁や配管等の部材を含み冷媒回路を構成するものである。
【００２６】
以下、本体ケーシング２０および据付脚２１について詳述する。
【００２７】
（１）本体ケーシング２０の概略構成
本体ケーシング２０は、天板２０ａや底板２０ｃなどの板金や樹脂部材によって形成される。
【００２８】
天板２０ａは、本体ケーシング２０の上面を構成する略直方形状の金属製の板状部材である。天板２０ａの周縁部分は、本体ケーシング２０の前面２００ｂ（図８を参照）、背面２００ｄおよび２面の側面を構成する金属製の板状部材の上端部と係合可能な形状を有している。また、天板２０ａには、吹出口２３が形成されている。なお、本体ケーシング２０の前面２００ｂには、吸込口２２（図８を参照）が形成されており、室外機２では、まず、この吸込口２２を介して室外の空気が本体ケーシング２０の内部に吸い込まれ、吸込口２２に対向する位置に配置される熱交換器において、吸込口２２から吸い込まれた室外空気と熱交換器を流れる冷媒との間で熱交換が行われる。そして、熱交換器の背面側に配置される斜流ファンにおいて、熱交換器で熱交換された空調空気が吹出口２３を介して室外に排出される構成となっている。
【００２９】
底板２０ｃは、本体ケーシング２０の下面を構成する略直方形状の金属製の板状部材である。底板２０ｃの周縁部は、上向きに折り曲げられており、底板２０ｃの上面には、強度を上げるために、浅い凹凸や溝が形成されている。底板２０ｃの下面には、図２、図３に示すように、本体ケーシング２０と据付脚２１との前後方向のスライドを可能にするための左右一対のレール２４が形成されている。レール２４は、図５に示すように、底板２０ｃの下面に当接する下面当接部２４ａと、下面当接部２４ａの外縁から下方向に垂直に延びる規制部２４ｂと、規制部２４ｂの下端から他方のレール２４に向かって水平に延びる受け部２４ｃとを有する。
【００３０】
レール２４は、下面当接部２４ａが底板２０ｃにネジ（図示せず）止めされることによって、本体ケーシング２０に固定される。規制部２４ｂは、据付脚２１を左右方向に拘束する機能を有する。受け部２４ｃは、据付脚２１を上下方向に拘束する機能を有する。
【００３１】
ここで、据付脚２１の右水平部３３（後述する）の右端部が底板２０ｃの下面、右側のレール２４の規制部２４ｂの左面および受け部２４ｃの上面に挟まれ、据付脚２１の左水平部３４（後述する）の左端部が底板２０ｃの下面、左側のレール２４の規制部２４ｂの右面および受け部２４ｃの上面に挟まれることによって、別部材である本体ケーシング２０と据付脚２１とが一体として構成されるようになっている。
【００３２】
（２）据付脚２１の概略構成
据付脚２１は、本体ケーシング２０の底板２０ｃの下方に設けられており、室外に設置されるブロック３に直接接触する部材である。
【００３３】
据付脚２１は、図２〜図５に示すように、主として、ブロック３の上面に接地する接地部３０と、接地部３０の左右端から鉛直上方に延びる右垂直部３１および左垂直部３２と、右垂直部３１および左垂直部３２の上端から水平面に沿って外方に延びる右水平部３３および左水平部３４とから構成されている。なお、図２に示す状態において、据付脚２１の本体ケーシング２０よりも背面側に突出する部分を背面突出部２１ａといい、本体ケーシング２０よりも正面側に突出する部分を正面突出部２１ｂという。
【００３４】
接地部３０は、本体ケーシング２０の底板２０ｃの奥行き寸法よりも長く前後に延びる板状の部分である。また、接地部３０の両端部には、図２に示すように、据付脚２１をアンカーボルト等によりブロック３に据付固定できるように、切り欠き部３８が形成されている。
【００３５】
右垂直部３１は、図４に示すように、上部の前後の長さが下部の前後の長さよりも短くなっている。なお、図４では、右垂直部３１が現れる右側面図しか図示していないが、左垂直部３２も右垂直部３１と同様に、上部の前後の長さが下部の前後の長さよりも短くなっている。
【００３６】
右水平部３３および左水平部３４は、図５に示すように、右垂直部３１および左垂直部３２の上端から右外方、左外方にそれぞれ水平面に沿って延びる部分である。右水平部３３の右端部は、底板２０ｃの下面、右側のレール２４の規制部２４ｂの左面および受け部２４ｃの上面に挟まれ、左水平部３４の左端部は、底板２０ｃの下面、左側のレール２４の規制部２４ｂの右面および受け部２４ｃの上面に挟まれている。これにより、本体ケーシング２０と据付脚２１とが前後方向にスライドすることが可能となっている。ここで、右水平部３３および左水平部３４のそれぞれの右端面および左端面の鉛直方向の長さが、レール２４の規制部２４ｂの鉛直方向の長さよりも短くなっていることにより、本体ケーシング２０と据付脚２１とがスライドしやすくなっている。なお、本体ケーシング２０と据付脚２１とは、背面突出部２１ａおよび正面突出部２１ｂが本体ケーシング２０の前後方向に突出している状態（図２を参照）と、背面突出部２１ａの端面が本体ケーシング２０の底板２０ｃの輪郭に沿うように、背面突出部２１ａが本体ケーシング２０の下方に入り込んでいる状態（図３を参照）との間をスライド可能である。
【００３７】
また、図２、図３に示すように、右水平部３３および左水平部３４の正面側の端部には、それぞれ、正面側から背面側にかけて切り込み４５が形成されている。具体的には、切り込み４５は、下面視において、右水平部３３および左水平部３４のそれぞれの正面側の外縁部分から、それぞれ正面側から背面側にかけて形成されている。この切り込み４５の長さは、図３に示す状態（すなわち、背面突出部２１ａの端面が本体ケーシング２０の底板２０ｃの輪郭に沿うように、背面突出部２１ａが本体ケーシング２０の下方に入り込んでいる状態）において、右水平部３３および左水平部３４が本体ケーシング２０の前方向に突出している分の長さと同じ、または、同じに近い。
【００３８】
さらに、右水平部３３および左水平部３４には、それぞれ、図３に示す状態において、右水平部３３および左水平部３４の本体ケーシング２０の前方向に突出している部分における所定の位置に、予め穴４６が形成されている。
【００３９】
なお、切り込み４５、穴４６は、板状の部材に、プレス成形により一体に形成される。そして、切り込み４５、穴４６が形成された板状の部材がプレス成形されることによって、接地部３０、右垂直部３１、左垂直部３２、右水平部３３および左水平部３４が一体に成形され、据付脚２１が成形される。但し、据付脚２１の成形方法は、これに限られるものではない。
【００４０】
＜室外機２の据付方法＞
次に、室外機２の据付方法について説明する。
【００４１】
まず、室外機２を図１に示す状態で室外機２の設置対象地に運ぶ。そして、図６、図７に示すように、室外に設置される２つのブロック３に室外機２を載置する。このとき、右側のブロック３には右側の据付脚２１を載置し、左側のブロック３には左側の据付脚２１を載置する形をとる。また、このとき、後に本体ケーシング２０の背面２００ｄを壁面Ｗに接触させるために、据付脚２１の後側の端面とブロック３の後側の端面とが同位置または同位置に近い位置にくるように室外機２をブロック３に載置しておく（図６を参照）。
【００４２】
そして、接地部３０の両端部に形成される切り欠き部３８を介してブロック３にアンカーボルト４を挿通させる。これにより、据付脚２１を介して室外機２がブロック３に固定される（第１ステップという）。このとき、２つの据付脚２１の正面突出部２１ｂおよび背面突出部２１ａがそれぞれ本体ケーシング２０の前後方向に突出しているので、アンカーボルト４で固定する箇所は計４箇所である。
【００４３】
第１ステップの後、ブロック３の後側の端面が壁面Ｗに接触するように、ブロック３およびブロック３に固定された室外機２を移動させる（図７を参照）。
【００４４】
次に、図８、図９に示すように、据付脚２１がブロック３に固定された状態で、本体ケーシング２０のみを据付脚２１に対して背面側にスライドさせる（第２ステップという）。このとき、背面突出部２１ａは、本体ケーシング２０の下方に入り込む。そして、本体ケーシング２０の背面側へのスライド後、本体ケーシング２０の背面２００ｄと据付脚２１の後側の端面とブロック３の後側の端面とは、同位置または同位置に近い位置にあり、かつ、壁面Ｗに接触あるいはほぼ接触している状態にある。ここで、室外機２の図８、図９に示す状態において、据付脚２１の本体ケーシング２０の正面側に突出している部分（第２正面突出部２１０ｂという。）の前後の長さは、正面突出部２１ｂの前後の長さに、背面突出部２１ａが本体ケーシングの下方に入り込んだ分の長さが加算された長さである。
【００４５】
第２ステップの後、本体ケーシング２０の背面２００ｄが壁面Ｗに接触した状態で室外機２を固定するために、図１０に示すように、据付脚２１の右水平部３３および左水平部３４に切り起こし部４７を形成する。具体的には、本体ケーシング２０がスライドして正面突出部２１ｂが第２正面突出部２１０ｂとなった状態において、右水平部３３の切り込み４５よりも右側部分および左水平部３４の切り込み４５よりも左側部分を上方に折り曲げる。そして、この折り曲げた部分を、外側（正面側）からネジ４８を穴４６に挿通させることによって本体ケーシングの前面２００ｂに固定する（第３ステップという）。これにより、本体ケーシング２０を前後方向に拘束することができる。
【００４６】
＜本実施形態に係る空調機の室外機２の特徴＞
（１）
本実施形態に係る室外機２では、本体ケーシング２０の底板２０ｃの下面にレール２４が設けられており、据付脚２１の右水平部３３の右端部は、底板２０ｃの下面、右側のレール２４の規制部２４ｂの左面および受け部２４ｃの上面に挟まれ、据付脚２１の左水平部３４の左端部は、底板２０ｃの下面、左側のレール２４の規制部２４ｂの右面および受け部２４ｃの上面に挟まれている。これにより、本体ケーシング２０と据付脚２１とが、背面突出部２１ａおよび正面突出部２１ｂが本体ケーシング２０の前後方向に突出している状態と、背面突出部２１ａの端面が本体ケーシング２０の底板２０ｃの輪郭に沿うように、背面突出部２１ａが本体ケーシング２０の下方に入り込んでいる状態との間をスライド可能になる。また、この室外機２においては、据付脚２１をブロック３にアンカーボルト等で固定しても本体ケーシング２０のみをスライドさせることも可能である。
【００４７】
よって、この室外機２の据付時、据付脚２１の背面側の端面をブロック３の背面側の端面と同位置にくるように、または、同位置に近い位置にくるように、室外機２をブロック３に載置すれば、その状態で据付脚２１をブロック３にアンカーボルトで固定しても本体ケーシング２０の背面２００ｄが壁面Ｗに接触するように本体ケーシング２０のみを背面側にスライドさせることができる。
【００４８】
これにより、室外機２の設置スペースをできるだけ最小にすることができ、デッドスペースを減らすことができる。また、室外機２の設置スペースをできるだけ最小にすることで、美観を向上させることもできる。
【００４９】
また、はじめから本体ケーシング２０の背面２００ｄを壁面Ｗに接触させるように室外機２を外部に設置しようとすると本体ケーシング２０を傷つける恐れもあると考えられるが、本実施形態では、本体ケーシング２０を据付脚２１に対してスライドさせることが可能であるので、本体ケーシング２０への損傷を防止しつつ、本体ケーシング２０の背面２００ｄを壁面Ｗに接触させるように室外機２を外部に設置することが可能となる。
【００５０】
（２）
本実施形態における室外機２では、据付脚２１の右水平部３３および左水平部３４の正面側の端部には、それぞれ切り込み４５が予め形成されている。これにより、第２ステップの状態で、右水平部３３の切り込み４５よりも右側部分を上方に折り曲げ、左水平部３４の切り込み４５よりも左側部分を上方に折り曲げることで、切り起こし部４７を形成することができる。
【００５１】
また、本実施形態の室外機２では、背面突出部２１ａの端面が本体ケーシング２０の底板２０ｃの輪郭に沿うように、背面突出部２１ａが本体ケーシング２０の下方に入り込んでいる状態において、右水平部３３および左水平部３４の本体ケーシング２０の前方向に突出している部分における所定の位置に、穴４６が予め形成されている。これにより、切り起こし部４７を形成した後、切り起こし部４７の正面側から、ネジ４８を穴４６に挿通させることによって、切り起こし部４７を本体ケーシング２０の前面２００ｂに固定することができるので、本体ケーシング２０の前後方向のスライドを拘束することができる。
【００５２】
よって、本体ケーシング２０の背面２００ｄが壁面Ｗに接触している状態、または、ほぼ接触している状態を保つことができる。したがって、デッドスペースを減らした状態を維持することができ、また、本体ケーシング２０の設置後の安定性も確保できる。
【００５３】
（３）
本実施形態では、本体ケーシング２０と据付脚２１とがスライド可能に構成されていることにより、本体ケーシング２０の背面２００ｄの壁面Ｗへの接触が可能になると説明したが、特許文献１（実開昭６３−１７２８２７号公報）に記載の室外機であっても、据付脚が本体ケーシングに対してスライド可能に設けられているので、この室外機を壁面Ｗに寄せることは可能である。
【００５４】
しかし、図１２に示すように、特許文献１に記載の室外機においては、据付脚９０（本実施形態における据付脚２１に相当）の本体ケーシングの外方に突出しない方の端部にストッパー９２が設けられている。
【００５５】
このため、平面視において据付脚９０の本体ケーシングの前後方向に突出する部分（４箇所）を全てボルトで固定してから本体ケーシングのみを背面側にスライドさせて壁面に寄せようとすると、本体ケーシングに設けられる受体９１（本実施形態のレール２４に相当）にストッパー９２が当たるのでできない。
【００５６】
このため、この室外機を壁面に寄せるには、まず、据付脚９０の本体ケーシングの背面側に突出する部分をボルトで固定し、そして、本体ケーシングと、ボルトで固定されていない正面側の据付脚９０とを共に背面側にスライドさせ、最後に正面側の据付脚９０の本体ケーシングの正面側に突出する部分をボルトで固定するといった手順をふまなければならない。
【００５７】
しかし、背面側の据付脚９０の本体ケーシングの背面側に突出する部分（２箇所）をボルトで固定してから本体ケーシングと正面側の据付脚９０とを背面側にスライドさせるのは、左右方向にブレが生じることが想定されるため、安定性の観点から容易でないことが想定される。
【００５８】
一方、本実施形態における室外機２では、据付脚２１の本体ケーシング２０の正面側および背面側に突出する部分（４箇所）をボルトで固定した後、本体ケーシング２０のみをスライドさせることができる。
【００５９】
よって、本実施形態の室外機２では、ブレのない安定したスライドを行うことができる。
【００６０】
なお、図１２に示す据付脚９０の塗りつぶしの部分は、据付脚９０が本体ケーシングの輪郭に沿うように本体ケーシングの下方に収納されている状態からスライドして、据付脚９０の一部が本体ケーシングの外方に突出している状態を示す。
【００６１】
＜本実施形態に係る空調機の室外機２の変形例＞
（Ａ）
上記実施形態では、据付脚２１に切り起こし部４７を形成することにより本体ケーシング２０の前後方向のスライドを拘束すると説明したが、本体ケーシング２０の前後方向のスライドを拘束する方法は、これに限られるものではない。
【００６２】
例えば、本体ケーシング２０を壁面Ｗ側にスライドさせた後に、図１１に示すように、第２正面突出部２１０ｂにおける右水平部３３および左水平部３４と、本体ケーシング２０の前面２００ｂとに、Ｌ字部材５の水平面と垂直面とがそれぞれ当接するようにＬ字部材５を取り付け、ネジ止めすることで固定してもよい。また、このＬ字部材５の代わりにブラケット等の部材を用いてもよい。
【００６３】
また、本体ケーシング２０と据付脚２１とをＬ字部材５を用いてネジ等で固定する方法には限られず、本体ケーシング２０とブロック３とを、例えば、Ｌ字部材を用いてネジ等で固定することによって本体ケーシング２０の前後方向のスライドを拘束してもよい。
【００６４】
また、例えば、Ｌ字部材が、本体ケーシング２０、据付脚２１およびブロック３に接触するように取り付けられてネジ等で固定されることにより、本体ケーシング２０の前後方向のスライドが拘束されてもよい。
【００６５】
また、ブロック３や据付脚２１の上面であって、壁面Ｗ側にスライドされた本体ケーシング２０が前後方向にスライドできないような位置に開口を形成し、その開口にブロック等の拘束部材を挿入したり、その拘束部材をネジ等で固定したりすることによって、本体ケーシング２０の前後方向のスライドを拘束してもよい。
【００６６】
なお、切り起こし部４７を形成せずに本体ケーシング２０の前後方向のスライドを拘束する場合は、据付脚２１の右水平部３３および左水平部３４に切り込み４５や穴４６を予め形成していなくてもよい。
【００６７】
（Ｂ）
上記実施形態では、吹出口２３は、本体ケーシング２０の天板２０ａのみに形成されると説明したが、本発明はこれに限られるものではなく、本体ケーシング２０の２面の側面のうち少なくとも１面にも形成されていてもよい。
【００６８】
（Ｃ）上記実施形態では、室外機２を固定する部材はコンクリートから構成されるブロック３であると説明したが、本発明はこれに限られるものではなく、樹脂から構成される部材であってもよい。また、この室外機２を固定する部材は、地面に埋め込まれるタイプの部材であってもよい。この場合、より室外機２の設置スペースを最小にすることができる。
【００６９】
（Ｄ）
上記実施形態では、据付脚２１は２つであると説明したが、据付脚２１の短手に平行な方向で２つの据付脚２１をそれぞれ分割し、４つの据付脚２１としてもよい。
【００７０】
（Ｅ）
上記実施形態では、切り込み４５は、右水平部３３および左水平部３４に予め形成されていると説明したが、第２ステップの後に作業者等が形成してもよい。この場合、本体ケーシング２０を、その背面２００ｄが壁面Ｗに接触するように背面側に移動した後に、右水平部３３および左水平部３４のそれぞれに切り込み４５を形成するので、右水平部３３および左水平部３４の本体ケーシング２０の前方向に突出している分の長さだけ切り込み４５を形成することができる。これにより、正確な長さの切り込み４５を形成することができる。
【００７１】
（Ｆ）
上記実施形態では、空調機における室外機に限定して説明したが、本発明はこれに限られるものではなく、ヒートポンプ式の給湯器における室外機であってもよい。
【産業上の利用可能性】
【００７２】
本発明では、室外機の設置対象地において、デッドスペースを減らすことができるので、有用である。
【符号の説明】
【００７３】
２  空調機の室外機（冷凍装置の室外機）
３  ブロック（室外機載置部材）
５  Ｌ字部材（拘束部材）
２０  本体ケーシング
２１  据付脚
２１ａ  背面突出部
２１ｂ  正面突出部
【先行技術文献】
【特許文献】
【００７４】
【特許文献１】実開昭６３−１７２８２７号公報
【図１】
2010203684.tif 000003
【図２】
2010203684.tif 000004
【図３】
2010203684.tif 000005
【図４】
2010203684.tif 000006
【図５】
2010203684.tif 000007
【図６】
2010203684.tif 000008
【図７】
2010203684.tif 000009
【図８】
2010203684.tif 000010
【図９】
2010203684.tif 000011
【図１０】
2010203684.tif 000012
【図１１】
2010203684.tif 000013
【図１２】
2010203684.tif 000014